(57)【要約】【課題】被写体を撮影する際の好適な撮影位置に関する情報を把握できる画像情報処理装置を提供する。【解決手段】画像情報処理装置１００は、被写体の地名情報ＪＡ１を含む特性情報ＪＡと関連付けられた複数の画像情報Ｊを処理する。画像情報処理装置１００は、入力部２０と、抽出部１１と、情報処理部１２と、表示部３０とを備える。入力部２０には、地名情報ＪＡ１を含む検索条件情報が入力される。抽出部１１は、複数の画像情報Ｊのうち、地名情報ＪＡ１に対応する少なくとも１つの対応画像情報を抽出する。情報処理部１２は、検索条件情報と対応画像情報とに基づいて、特性情報ＪＡを処理する。表示部３０は、情報処理部１２による処理結果を示す地図画像を表示する。処理結果は、被写体を撮影する推奨位置を含む。【選択図】図１
2019144988.tif 000002
【特許請求の範囲】
【請求項１】
被写体の地名情報を含む特性情報と関連付けられた複数の画像情報を処理する画像情報処理装置であって、
前記地名情報を含む検索条件情報が入力される入力部と、
前記複数の画像情報のうち、前記地名情報に対応する少なくとも１つの対応画像情報を抽出する抽出部と、
前記検索条件情報と前記対応画像情報とに基づいて、前記特性情報を処理する情報処理部と、
前記情報処理部による処理結果を示す地図画像を表示する表示部と
を備え、
前記処理結果は、前記被写体を撮影する推奨位置を含む、画像情報処理装置。
【請求項２】
前記特性情報は、アクセス回数情報と、位置情報とを更に含み、
前記アクセス回数情報は、前記複数の画像情報の各々に対するアクセス操作に関する回数を示し、
前記位置情報は、前記被写体を撮影した位置を示し、
前記検索条件情報は、前記アクセス操作に関する回数の閾値を示す回数閾値情報を更に含み、
前記情報処理部は、前記検索条件情報と、前記対応画像情報に対応する前記アクセス回数情報と、前記対応画像情報に対応する前記位置情報とに基づいて、前記特性情報を処理する、請求項１に記載の画像情報処理装置。
【請求項３】
前記アクセス回数情報は、評価回数情報を含み、
前記評価回数情報は、前記複数の画像情報の各々に対する評価が付与された評価回数を示し、
前記情報処理部は、前記検索条件情報と、前記対応画像情報に対応する前記アクセス回数情報と、前記対応画像情報に対応する前記位置情報とに基づいて、前記推奨位置から撮影された推奨画像を決定し、
前記表示部は、前記推奨位置とともに前記推奨画像を表示する、請求項２に記載の画像情報処理装置。
【請求項４】
前記特性情報は、前記被写体を撮影した時刻を示す撮影時刻情報を更に含み、
前記検索条件情報は、前記被写体を訪問する予定日時を示す訪問日時情報を更に含み、
前記情報処理部は、前記検索条件情報と、前記対応画像情報に対応する前記アクセス回数情報と、前記対応画像情報に対応する前記撮影時刻情報とに基づいて、前記特性情報を処理し、
前記処理結果は、前記被写体を撮影する推奨時刻を含む、請求項２又は請求項３に記載の画像情報処理装置。
【請求項５】
前記情報処理部は、前記検索条件情報と、前記対応画像情報に対応する前記アクセス回数情報と、前記対応画像情報に対応する前記撮影時刻情報と、天気予報情報とに基づいて、前記処理結果を変更し、
前記天気予報情報は、前記予定日時と、前記地名情報とに対応する天気予報を示す、請求項４に記載の画像情報処理装置。
【請求項６】
前記検索条件情報は、少なくとも１つの周辺施設に関する情報を要求する周辺情報要求指示を更に含み、
前記少なくとも１つの周辺施設は、前記被写体の周辺に存在する施設を示し、
前記情報処理部は、前記検索条件情報と、前記対応画像情報と、前記少なくとも１つの周辺施設の位置を示す周辺施設位置情報とに基づいて、前記特性情報を処理し、
前記処理結果は、前記少なくとも１つの周辺施設を撮影する推奨位置を含む、請求項１から請求項５のいずれか１項に記載の画像情報処理装置。
【請求項７】
前記処理結果は、順路情報を更に含み、
前記順路情報は、前記被写体と前記周辺施設との間の移動順路を含む、請求項６に記載の画像情報処理装置。
【請求項８】
前記画像情報には、前記地名情報を示すハッシュタグが予め付与されており、
前記抽出部は、前記検索条件情報と前記ハッシュタグとに基づいて前記対応画像情報を抽出する、請求項１から請求項７のいずれか１項に画像情報処理装置。
【請求項９】
被写体の地名情報を含む特性情報と関連付けられた複数の画像情報を処理する画像形成装置であって、
前記地名情報を含む検索条件情報が入力される入力部と、
前記複数の画像情報のうち、前記地名情報に対応する少なくとも１つの対応画像情報を抽出する抽出部と、
前記検索条件情報と前記対応画像情報とに基づいて、前記特性情報を処理する情報処理部と、
前記情報処理部による処理結果を示す地図画像を表示する表示部と、
前記地図画像をシートに形成する画像形成部と
を備え、
前記処理結果は、前記被写体を撮影する推奨位置を含む、画像形成装置。
【発明の詳細な説明】
【技術分野】
【０００１】
本発明は、画像情報処理装置及び画像形成装置に関する。
【背景技術】
【０００２】
撮影された画像を地図上に配置して表示する情報処理装置が知られている。このような情報処理装置として、特許文献１に記載の情報処理装置は、撮影日時順に画像を並べた画像リストを表示するとともに、画像に関連付けられた位置情報の示す地図上の位置にアイコンを表示する。特許文献１に記載の情報処理装置によれば、画像の撮影位置と撮影の時系列とが地図上で目視される。
【先行技術文献】
【特許文献】
【０００３】
【特許文献１】特開２００７−３２３５４３号公報
【発明の概要】
【発明が解決しようとする課題】
【０００４】
しかしながら、特許文献１に記載の情報処理装置では、撮影日時順に並ぶ画像リストに関連付けて地図上の位置にアイコンを表示するため、同一の被写体を撮影するための撮影位置の重み付けの違いを示していない。従って、被写体を撮影する際の好適な撮影位置に関する情報を把握することが困難であった。
【０００５】
本発明は上記課題に鑑みてなされたものであり、被写体を撮影する際の好適な撮影位置に関する情報を把握できる画像情報処理装置及び画像形成装置を提供することを目的とする。
【課題を解決するための手段】
【０００６】
本発明に係る画像情報処理装置は、被写体の地名情報を含む特性情報と関連付けられた複数の画像情報を処理する。前記画像情報処理装置は、入力部と、抽出部と、情報処理部と、表示部とを備える。前記入力部には、前記地名情報を含む検索条件情報が入力される。前記抽出部は、前記複数の画像情報のうち、前記地名情報に対応する少なくとも１つの対応画像情報を抽出する。前記情報処理部は、前記検索条件情報と前記対応画像情報とに基づいて、前記特性情報を処理する。前記表示部は、前記情報処理部による処理結果を示す地図画像を表示する。前記処理結果は、前記被写体を撮影する推奨位置を含む。
【０００７】
本発明に係る画像形成装置は、被写体の地名情報を含む特性情報と関連付けられた複数の画像情報を処理する。前記画像形成装置は、入力部と、抽出部と、情報処理部と、表示部と、画像形成部とを備える。前記入力部には、前記地名情報を含む検索条件情報が入力される。前記抽出部は、前記複数の画像情報のうち、前記地名情報に対応する少なくとも１つの対応画像情報を抽出する。前記情報処理部は、前記検索条件情報と前記対応画像情報とに基づいて、前記特性情報を処理する。前記表示部は、前記情報処理部による処理結果を示す地図画像を表示する。前記画像形成部は、前記地図画像をシートに形成する。前記処理結果は、前記被写体を撮影する推奨位置を含む。
【発明の効果】
【０００８】
本発明によれば、被写体を撮影する際の好適な撮影位置に関する情報を把握できる。
【図面の簡単な説明】
【０００９】
【図１】本発明の実施形態に係る画像情報処理装置を示す構成図である。
【図２】本発明の実施形態に係る画像情報処理装置を示す図である。
【図３】本発明の実施形態に係る画像情報処理装置の表示部に表示される地図画像を示す図である。
【図４】本発明の実施形態に係る画像情報処理装置の表示部に表示される地図画像を示す図である。
【図５】本発明の実施形態に係る画像情報処理装置の実行する処理を示すフローチャートである。
【図６】本発明の実施形態に係る画像形成装置を示す構成図である。
【図７】本発明の実施形態に係る画像形成装置を示す図である。
【図８】本発明の実施形態に係る画像形成装置の実行する処理を示すフローチャートである。
【発明を実施するための形態】
【００１０】
以下、本発明の実施形態について、図面を参照しながら説明する。なお、図中、同一又は相当部分については同一の参照符号を付して説明を繰り返さない。
【００１１】
図１を参照して、本発明の実施形態に係る画像情報処理装置１００の構成を説明する。図１は、画像情報処理装置１００を示す構成図である。画像情報処理装置１００は、例えば、スマートフォン、又はタブレット端末装置である。なお、画像情報処理装置１００は、画像形成装置であってもよい。画像情報処理装置１００が画像形成装置である実施形態については、図６〜図８を参照して後述する。
【００１２】
画像情報処理装置１００は、図１に示すように、ネットワークＮを介して各種のサーバー装置と無線通信可能に接続され得る。ネットワークＮは、例えば、インターネット、ＬＡＮ（Ｌｏｃａｌ  Ａｒｅａ  Ｎｅｔｗｏｒｋ）、又は、ＷＡＮ（Ｗｉｄｅ  Ａｒｅａ  Ｎｅｔｗｏｒｋ）である。各種のサーバー装置は、例えば、画像情報サーバー装置Ｖ１、地図情報サーバー装置Ｖ２、又は天気情報サーバー装置Ｖ３である。
【００１３】
画像情報サーバー装置Ｖ１には、画像情報Ｊが記憶されている。画像情報サーバー装置Ｖ１は、ユーザーからネットワークＮを介して投稿された画像情報Ｊを管理する画像データベースである。画像情報サーバー装置Ｖ１は、例えば、インスタグラム（登録商標）のようなＳＮＳ（Ｓｏｃｉａｌ  Ｎｅｔｗｏｒｋｉｎｇ  Ｓｅｒｖｉｃｅ）を提供する。画像情報Ｊは、ネットワークＮを介して外部の端末装置から閲覧可能である。画像情報サーバー装置Ｖ１は、画像情報処理装置１００からの要求信号に応じて画像情報Ｊを画像情報処理装置１００に送信する。
【００１４】
地図情報サーバー装置Ｖ２には、地図情報Ｇが記憶されている。地図情報サーバー装置Ｖ２は、地図データベースである。地図情報サーバー装置Ｖ２は、ネットワークＮを介してユーザーに各地域の地図に関する各種サービスを提供する。地図情報Ｇは、地物の情報と、地物間を移動するための所要時間情報とを含む。地物とは、天然及び人工にかかわらず、地上に存在する物のことであり、例えば、河、山、海、湖、ダム、公園、及び建築物、道路のような道、インターチェンジ、移動手段の路線、移動手段の発着所である。地物の情報は、地物の位置を示す位置情報を含む。所要時間情報は、例えば、地物間の移動手段と距離とに応じて特定される。地図情報サーバー装置Ｖ２は、画像情報処理装置１００からの要求信号に応じて地図情報Ｇを画像情報処理装置１００に送信する。
【００１５】
天気情報サーバー装置Ｖ３には、天気予報情報Ｗが記憶されている。天気情報サーバー装置Ｖ３は、天気予報データベースである。天気情報サーバー装置Ｖ３は、ネットワークＮを介してユーザーに天気予報に関する各種サービスを提供する。天気予報情報Ｗは、特定の日時における特定の地域に対応する天気予報を示す。天気予報は、例えば、晴れ、曇り、雨、雪、及び降水確率を含む。天気情報サーバー装置Ｖ３は、画像情報処理装置１００からの要求信号に応じて天気予報情報Ｗを画像情報処理装置１００に送信する。
【００１６】
画像情報処理装置１００は、複数の画像情報Ｊを処理する。画像情報Ｊは、特性情報ＪＡを含む。詳細には、画像情報Ｊは、被写体の撮影された写真画像を示し、特性情報ＪＡと関連付けられている。写真画像は第三者から閲覧され得るため、ＳＮＳを介した写真画像の投稿者（以下、「投稿ユーザー」と記載することがある。）は、一般に、自らの評価の高い写真画像を投稿することが多い。被写体は、例えば、名勝、史跡、又は、特定の建築物のような観光名所である。特性情報ＪＡは、写真画像に関する各種の情報を示す。特性情報ＪＡは、地名情報ＪＡ１、アクセス回数情報ＪＡ２、位置情報ＪＡ３、及び撮影時刻情報ＪＡ４を含む。
【００１７】
地名情報ＪＡ１は、被写体の名称を示す。詳細には、画像情報Ｊには、地名情報ＪＡ１を示すハッシュタグが予め付与されている。ハッシュタグは、写真画像に関する内容を表す任意の文字列である。写真画像の撮影者（以下、「撮影ユーザー」と記載することがある。）は、撮像した写真画像に任意のハッシュタグ（例えば、「＃Ｘタワー」、「＃Ｙ滝」、又は「＃Ｚ寺」）を付与して、例えば、インスタグラム（登録商標）のようなＳＮＳに投稿する。ＳＮＳでは、例えば、共通の観光名所を訪問した撮影ユーザーによって投稿された写真画像、又は、共通の趣味を持つ撮影ユーザーによって投稿された写真画像の各々が、ハッシュタグに基づいて関連付けられる。
【００１８】
アクセス回数情報ＪＡ２は、複数の画像情報Ｊの各々に対するアクセス操作に関する回数を示す。例えば、アクセス回数情報ＪＡ２は、ＳＮＳを介した写真画像の閲覧者（以下「閲覧ユーザー」と記載することがある。）による、写真画像に対する各種のアクセス操作の回数（以下、「アクセス回数」と記載することがある。）を示す。アクセス操作は、閲覧操作、評価操作、及びデータ保存操作を含む。閲覧操作は、写真画像を閲覧する操作を示す。評価操作は、写真画像に対する評価（例えば、評価を示す識別子）を付与する操作を示す。評価操作は、例えば、「いいね！」アイコンに対するクリック操作である。データ保存操作は、写真画像を示す写真画像データを、閲覧ユーザーがネットワークＮを介して自らの端末装置に保存する操作を示す。一般に、アクセス回数は、閲覧ユーザーからの関心又は評価の高さに比例して増加する傾向がある。以下、「閲覧操作の回数」、「評価操作の回数」、及び「データ保存操作の回数」を「閲覧回数」、「評価回数（「評価回数情報」に相当する）」、及び「データ保存回数」とそれぞれ記載することがある。
【００１９】
位置情報ＪＡ３は、撮影ユーザーが被写体を撮影した撮影位置（立ち位置）を示す。位置情報ＪＡ３は、例えば、撮影時の撮影装置（例えば、ＧＰＳ機能付きのカメラ）の位置を示すＧＰＳ情報（例えば、経度情報及び緯度情報）である。位置情報ＪＡ３は、被写体の撮影時に写真画像の属性情報として記憶される。
【００２０】
撮影時刻情報ＪＡ４は、撮影ユーザーが被写体を撮影した撮影日時を示す。撮影時刻情報ＪＡ４は、被写体の撮影時に写真画像の属性情報として記憶される。
【００２１】
画像情報処理装置１００は、通信部５０と、記憶部４０と、制御部１０と、入力部２０と、表示部３０とを備える。制御部１０と、記憶部４０と、通信部５０は、画像情報処理装置１００の筐体に収容される。
【００２２】
通信部５０は、ネットワークＮを介して各種のサーバー装置との間で通信可能に接続され、各種の信号及びデータを送受信する。具体的には、通信部５０は、画像情報Ｊを要求する画像情報要求信号を画像情報サーバー装置Ｖ１に送信し、画像情報サーバー装置Ｖ１から送信される画像情報Ｊを受信する。また、通信部５０は、地図情報Ｇを要求する地図情報要求信号を地図情報サーバー装置Ｖ２に送信し、地図情報サーバー装置Ｖ２から送信される地図情報Ｇを受信する。また、通信部５０は、天気予報情報Ｗを要求する天気予報情報要求信号を天気情報サーバー装置Ｖ３に送信し、天気情報サーバー装置Ｖ３から送信される天気予報情報Ｗを受信する。
【００２３】
入力部２０は、タッチセンサーを含むタッチパネルと、種々のハードウェアボタンとを有する。タッチパネルは、入力部２０と表示部３０とを兼ね得る。入力部２０には、ユーザーによる各種の指示が入力される。例えば、入力部２０には、検索条件情報が入力される。検索条件情報は、地名情報ＪＡ１を含む。なお、検索条件情報の詳細については、図２を参照して後述する。
【００２４】
表示部３０は、表示面を有するディスプレーであり、タッチパネルを構成する。ディスプレーは、例えば、液晶ディスプレー、又は有機ＥＬディスプレー（Ｏｒｇａｎｉｃ  ＥｌｅｃｔｒｏＬｕｍｉｎｅｓｃｅｎｃｅ  ｄｉｓｐｌａｙ）である。表示部３０は、各種の画像を表示する。各種の画像は、例えば、ホーム画面画像、操作画面画像、写真画像、又は地図画像である。
【００２５】
記憶部４０は、例えば、ＨＤＤ、ＲＡＭ、及びＲＯＭによって構成される。記憶部４０は、外部メモリーを含んでいてもよい。外部メモリーは、リムーバブルメディアである。記憶部４０は、外部メモリーとして、例えば、ＳＤ（Ｓｅｃｕｒｅ  Ｄｉｇｉｔａｌ）カードを含む。記憶部４０は、各種のデータ、制御プログラム、及びアプリケーションプログラムを記憶する。制御プログラムは、画像情報処理装置１００の各部の動作を制御するためのプログラムであり、制御部１０によって実行される。
【００２６】
制御部１０は、抽出部１１と、情報処理部１２とを含む。制御部１０は、ＣＰＵ（Ｃｅｎｔｒａｌ  Ｐｒｏｃｅｓｓｉｎｇ  Ｕｎｉｔ）又はＭＰＵ（Ｍｉｃｒｏ  Ｐｒｏｃｅｓｓｉｎｇ  Ｕｎｉｔ）のようなプロセッサーを含むハードウェア回路である。制御部１０は、記憶部４０に記憶された制御プログラムをプロセッサーが読み出して実行することによって、画像情報処理装置１００の各部の動作を制御する。また、プロセッサーは、記憶部４０に記憶された各種アプリケーションプログラムを読み出して実行する。
【００２７】
抽出部１１は、複数の画像情報Ｊのうち、地名情報ＪＡ１に対応する少なくとも１つの対応画像情報を抽出する。詳細には、抽出部１１は、入力部２０に入力された地名情報ＪＡ１に応じて、複数の画像情報Ｊの中から対応画像情報を抽出する。対応画像情報は、地名情報ＪＡ１を含む特性情報ＪＡと関連付けられている少なくとも１つの画像情報Ｊを示す。例えば、抽出部１１は、入力部２０に入力された地名情報ＪＡ１と、複数の画像情報Ｊの各々に関連付けられているハッシュタグとに基づいて、インスタグラム（登録商標）の複数の画像情報Ｊの中から対応画像情報を抽出する。
【００２８】
情報処理部１２は、検索条件情報と対応画像情報とに基づいて、特性情報ＪＡを処理する。詳細には、情報処理部１２は、検索条件情報に含まれる地名情報ＪＡ１を示す地域一帯の地図情報Ｇを、地図情報サーバー装置Ｖ２から通信部５０を介して取得する。情報処理部１２は、通信部５０を介して画像情報サーバー装置Ｖ１から対応画像情報を取得する。情報処理部１２は、対応画像情報に含まれる特性情報ＪＡのうち、位置情報ＪＡ３の示す撮影位置を推奨位置として特定する。推奨位置は、被写体を撮影する際の推奨される立ち位置、すなわち、被写体に向けて撮影装置を構える位置を示す。情報処理部１２は、地図画像を表示するように表示部３０を制御する。地図画像は、推奨位置を含む情報処理部１２による処理結果を示す。例えば、地図画像は、地名情報ＪＡ１と、推奨位置とを示す。なお、地図画像の詳細については、図３及び図４を参照して後述する。
【００２９】
以上、図１を参照して説明したように、本実施形態によれば、入力部２０には、地名情報ＪＡ１を含む検索条件情報が入力される。抽出部１１は、特性情報ＪＡと関連付けられた複数の画像情報Ｊのうち、地名情報ＪＡ１に対応する対応画像情報を抽出する。情報処理部１２は、検索条件情報と、対応画像情報とに基づいて、特性情報ＪＡを処理する。表示部３０は、情報処理部１２による処理結果を表示する。処理結果は、被写体を撮影する推奨位置を含む。従って、ユーザーは、地名情報ＪＡ１に関し、所望の検索条件に対応する処理結果を視認できる。その結果、被写体を撮影する際の好適な撮影位置に関する情報を把握できる。
【００３０】
なお、本実施形態によれば、抽出部１１は、検索条件情報とハッシュタグとに基づいて対応画像情報を抽出できる。複数の画像情報Ｊの中から被写体の名称と一致する対応画像情報をハッシュタグを用いて検索するため、所望の被写体と異なる被写体を示す対応画像情報を誤抽出することを抑制できる。
【００３１】
続いて、図１を参照しつつ、図２を更に参照して、検索条件情報Ｋの詳細について説明する。図２は、画像情報処理装置１００を示す図である。図２に示すように、入力部２０には、ユーザーによる操作に応じて検索条件情報Ｋが入力される。
【００３２】
検索条件情報Ｋは、図１を参照して説明した地名情報ＪＡ１に加えて、閾値情報Ｋ１を更に含み得る。閾値情報Ｋ１は、例えば、回数閾値情報Ｋ１Ａ、又は画像数閾値情報Ｋ１Ｂである。回数閾値情報Ｋ１Ａは、アクセス回数の閾値を示す。アクセス回数の閾値は、例えば、閲覧回数の閾値、評価回数の閾値、又はデータ保存回数の閾値である。画像数閾値情報Ｋ１Ｂは、共通の位置情報ＪＡ３、又はその近傍の位置情報ＪＡ３を有する写真画像数の閾値である。
【００３３】
情報処理部１２は、検索条件情報Ｋと、対応画像情報に対応するアクセス回数情報ＪＡ２と、対応画像情報に対応する位置情報ＪＡ３とに基づいて、特性情報ＪＡを処理することが好ましい。
【００３４】
詳細には、抽出部１１は、複数の画像情報Ｊから対応画像情報を抽出する際に、回数閾値情報Ｋ１Ａの示す閾値（例えば、「１００回」）以上のアクセス回数（例えば、閲覧回数）を有する画像情報Ｊのみを対応画像情報として抽出する。情報処理部１２は、抽出された対応画像情報の各々の位置情報ＪＡ３のうち、画像数閾値情報Ｋ１Ｂの示す閾値（例えば、「５０枚」）以上の写真画像が有する共通の位置情報ＪＡ３を、推奨位置として特定する。従って、好適な推奨位置を特定する精度と処理速度とを向上させることができる。また、情報処理部１２は、最も多いアクセス回数（例えば、評価回数）を有する対応画像情報の位置情報ＪＡ３を、推奨位置として特定してもよい。このようにして、情報処理部１２は、第三者の関心を惹いた写真画像の撮影位置を推奨位置として特定できる。従って、客観的な重み付けの高い撮影位置を推奨できる。
【００３５】
なお、検索条件情報Ｋは、訪問日時情報Ｋ２を更に含むことが好ましい。訪問日時情報Ｋ２は、ユーザーが被写体を訪問する予定日時を示す。予定日時は、一定の時間を示しており、例えば、月日、又は時間帯（朝、昼、又は夜）である。情報処理部１２は、訪問日時情報Ｋ２を含む検索条件情報Ｋと、対応画像情報に対応するアクセス回数情報ＪＡ２と、対応画像情報に対応する撮影時刻情報ＪＡ４とに基づいて、特性情報ＪＡを処理する。情報処理部１２による処理結果は、被写体を撮影する推奨時刻を含む。詳細には、推奨時刻は、被写体を撮影するための推奨される時刻又は時間帯である。情報処理部１２は、抽出部１１によって抽出された複数の対応画像情報のうち、撮影時刻情報ＪＡ４を有する対応画像情報を特定する。このとき、撮影時刻情報ＪＡ４は、予定日時の範囲に含まれる撮影日時を示す。情報処理部１２は、複数の対応画像情報を特定した場合、最も多いアクセス回数（例えば、評価回数）を有する対応画像情報の撮影時刻情報ＪＡ４を、推奨時刻として決定する。また、情報処理部１２は、アクセス回数（例えば、評価回数）が所定の閾値以上である対応画像情報の撮影時刻情報ＪＡ４に基づいて、推奨時刻を時間帯で示してもよい。これにより、被写体を好適に撮影するための時刻及び時間帯を把握できる。従って、ユーザーが被写体を撮影する際の利便性を向上させることができる。
【００３６】
また、検索条件情報Ｋは、周辺情報要求指示Ｋ３を更に含んでいてもよい。周辺情報要求指示Ｋ３は、少なくとも１つの周辺施設に関する情報を要求する。少なくとも１つの周辺施設は、被写体の周辺に存在する施設を示す。ユーザーは、周辺施設に関する情報（以下、「周辺施設関連情報」と記載することがある。）を要求する場合、要求有効アイコンＫ３１を選択する。また、ユーザーは、周辺施設に関する情報を要求しない場合、要求無効アイコンＫ３２を選択する。周辺情報要求指示Ｋ３は、掲載個数情報Ｋ３３、距離閾値情報Ｋ３４、及び周辺予定時間帯情報Ｋ３５を含む。掲載個数情報Ｋ３３は、情報を要求する周辺施設の個数（例えば、「２箇所」）を示す。距離閾値情報Ｋ３４は、被写体から周辺施設までの距離の閾値（例えば、「半径０．５ｋｍ以内」）を示す。周辺予定時間帯情報Ｋ３５は、周辺施設を訪問する予定時間帯（例えば、朝、昼、又は夜）を示す。
【００３７】
続いて、図１と図２とを参照しつつ、図３及び図４を更に参照して、地図画像Ｍの一例について説明する。図３及び図４は、表示部３０に表示される地図画像Ｍを示す図である。図３及び図４に示す地図画像Ｍは、検索条件情報Ｋの地名情報ＪＡ１が「Ｘタワー」である場合の一例である。
【００３８】
図３に示すように、表示部３０は、情報処理部１２による処理結果Ｒを示す地図画像Ｍを表示する。詳細には、地図画像Ｍは、Ｘタワーのような被写体Ｐを含む地域一帯の地図を示す。地図画像Ｍの中央には、被写体アイコンＰ１が配置される。被写体アイコンＰ１は、被写体ＰがＸタワーであることを示すとともに、被写体Ｐの位置を示す。
【００３９】
情報処理部１２による処理結果Ｒは、推奨位置ＬＥに関する情報Ｌ（以下、「推奨位置関連情報Ｌ」と記載することがある。）を含む。具体的には、情報処理部１２が推奨位置ＬＥを特定すると、表示部３０は、推奨位置関連情報Ｌを地図上に表示する。推奨位置関連情報Ｌは、推奨位置ＬＥを示す推奨位置アイコンＬＥ１を含む。なお、図１及び図２を参照して説明したように、推奨位置関連情報Ｌは、訪問日時情報Ｋ２に応じて推奨時刻ＬＴ（例えば、「１９時００分〜２０時００分」）を更に含み得る。また、図１及び図２を参照して説明したように、推奨位置関連情報Ｌは、画像数閾値情報Ｋ１Ｂに応じて画像数情報ＬＱ（例えば、「３０００枚」）を更に含み得る。画像数情報ＬＱは、推奨位置ＬＥ、又は推奨位置ＬＥの近傍の位置から被写体Ｐを撮影した写真画像の数を示す。
【００４０】
また、推奨位置関連情報Ｌは、アクセス回数情報ＪＡ２に応じて推奨画像ＬＰを更に含み得る。具体的には、情報処理部１２は、検索条件情報Ｋと、対応画像情報に対応するアクセス回数情報ＪＡ２と、対応画像情報に対応する位置情報ＪＡ３とに基づいて、推奨画像ＬＰを決定する。推奨画像ＬＰは、推奨位置ＬＥから撮影された写真画像のうち、最も多いアクセス回数（例えば、評価回数）を有する対応画像情報の写真画像である。表示部３０は、推奨位置ＬＥとともに推奨画像ＬＰを表示する。従って、ユーザーは、推奨位置ＬＥから撮影可能な推奨画像ＬＰを視認できる。その結果、被写体Ｐを好適に撮影するための情報を更に詳細に把握できる。
【００４１】
また、情報処理部１２は、周辺情報要求指示Ｋ３を含む検索条件情報Ｋと、対応画像情報と、少なくとも１つの周辺施設ＰＰの位置を示す位置情報（以下、「周辺施設位置情報」と記載することがある。）とに基づいて、特性情報ＪＡを処理し得る。周辺施設位置情報は、周辺施設ＰＰの位置を示す位置情報である。その結果、処理結果Ｒは、周辺施設ＰＰを撮影する推奨位置ＬＣＡを更に含み得る。
【００４２】
詳細には、情報処理部１２は、周辺施設ＰＰを示す対応画像情報を、被写体Ｐの位置情報と、掲載個数情報Ｋ３３と、距離閾値情報Ｋ３４とに基づいて特定する。情報処理部１２は、周辺施設ＰＰを示す対応画像情報に対し、図１と図２とを参照して説明した対応画像情報に対する処理と同様の処理を実行すればよい。
【００４３】
推奨周辺情報ＬＣは、少なくとも１つの周辺施設ＰＰに関する情報を示す。推奨周辺情報ＬＣの個数は、掲載個数情報Ｋ３３に応じて決定される。掲載個数情報Ｋ３３が例えば「２箇所」である場合、推奨周辺情報ＬＣは、第１推奨周辺情報ＬＣ１及び第２推奨周辺情報ＬＣ２である。第１推奨周辺情報ＬＣ１は、例えば、周辺施設「Ｙ滝」に関する情報を示す。第２推奨周辺情報ＬＣ２は、例えば、周辺施設「Ｚ寺」に関する情報を示す。
【００４４】
第１推奨周辺情報ＬＣ１及び第２推奨周辺情報ＬＣ２の各々は、推奨周辺位置アイコンＬＣＡ１、周辺施設名ＬＣＢ（例えば、「Ｚ寺」）、被写体Ｐからの距離ＬＣＣ（例えば、「５００ｍ圏内」）、画像数情報ＬＣＱ（例えば、「１０００枚」）、推奨時刻ＬＣＤ（例えば、「１１時００分〜１２時００分」）、及び周辺施設ＰＰを撮影した推奨画像ＬＣＥを含む。推奨周辺位置アイコンＬＣＡ１は、周辺施設ＰＰを撮影する推奨位置ＬＣＡを示すアイコンである。距離ＬＣＣは、距離閾値情報Ｋ３４に基づいて決定される。画像数情報ＬＣＱは、推奨位置ＬＣＡ又は推奨位置ＬＣＡの近傍の位置から、周辺施設ＰＰが撮影された写真画像の数を示す。推奨時刻ＬＣＤは、周辺施設ＰＰを撮影するための推奨される時刻又は時間帯である。推奨時刻ＬＣＤは、周辺予定時間帯情報Ｋ３５の示す時間帯の範囲内で決定される。推奨画像ＬＣＥは、推奨位置ＬＣＡから撮影された写真画像のうち、最も多いアクセス回数（例えば、評価回数）を有する対応画像情報の写真画像である。
【００４５】
以上、図１〜図３を参照して説明したように、本実施形態によれば、情報処理部１２による処理結果Ｒは、周辺情報要求指示Ｋ３に応じて推奨周辺情報ＬＣを更に含み得る。従って、被写体Ｐを撮影する際の好適な撮影位置に関する情報とともに、被写体Ｐの周辺施設ＰＰを撮影する際の好適な撮影位置に関する情報を把握できる。
【００４６】
なお、情報処理部１２は、検索条件情報Ｋと、対応画像情報に対応するアクセス回数情報ＪＡ２と、対応画像情報に対応する撮影時刻情報ＪＡ４と、天気予報情報Ｗとに基づいて、処理結果Ｒを変更することが好ましい。詳細には、情報処理部１２は、例えば、地名情報ＪＡ１と訪問日時情報Ｋ２とに対応する天気予報情報Ｗを、天気情報サーバー装置Ｖ３から通信部５０を介して取得する。取得された天気予報情報Ｗは、被写体Ｐを訪問する予定日時と、被写体Ｐを含む地域とに対応する天気予報を示す。情報処理部１２は、検索条件情報Ｋと、対応画像情報に対応するアクセス回数情報ＪＡ２と、対応画像情報に対応する撮影時刻情報ＪＡ４と、天気予報情報Ｗとに基づいて、表示部３０に表示させる推奨位置関連情報Ｌ及び／又は推奨周辺情報ＬＣを変更する。
【００４７】
例えば、訪問予定日時が「夜」であり、天気予報が「晴れ」である場合、表示部３０は、夜間に撮影され、かつ評価回数の最も多い対応画像情報に応じた推奨位置ＬＥと推奨時刻ＬＴとを表示する。従って、ユーザーは、例えば、被写体Ｐを含む夜景を美しく撮影できる。また、例えば、訪問予定日時が夕暮れ時を含んでおり、天気予報が「晴れ」である場合、表示部３０は、被写体Ｐよりも東側の位置から撮影され、かつ評価回数の最も多い対応画像情報に応じた推奨位置ＬＥと推奨時刻ＬＴとを表示する。従って、ユーザーは、例えば、被写体Ｐを含む夕焼けを美しく撮影できる。その結果、被写体Ｐを更に好適に撮影するための情報を提供できる。
【００４８】
また、図４に示すように、情報処理部１２による処理結果Ｒは、順路情報ＬＦを更に含み得る。図４に示す地図画像Ｍは、図３に示す地図画像Ｍと同様の地域一帯の地図を示す。なお、図４を参照して説明する地図画像Ｍにおいて、図３を参照して説明した地図画像Ｍと同様の構成については、説明が煩雑になることを避けるため図の記載と説明とを省略する。
【００４９】
詳細には、順路情報ＬＦは、被写体Ｐと周辺施設ＰＰとの間の移動順路ＬＦ１を含む。情報処理部１２は、訪問日時情報Ｋ２と周辺予定時間帯情報Ｋ３５とに基づいて、順路情報ＬＦを地図上に表示するように表示部３０を制御する。従って、被写体Ｐと、被写体Ｐの周辺施設ＰＰとに対する好適な撮影を可能にするとともに、被写体Ｐと周辺施設ＰＰとの間を移動する利便性を向上させることができる。
【００５０】
なお、順路情報ＬＦは、推奨到着時刻情報ＬＦ２と、滞在時間情報ＬＦ３とを更に含み得る。推奨到着時刻情報ＬＦ２は、被写体Ｐ及び周辺施設ＰＰの各々への推奨される到着時刻を示す。情報処理部１２は、推奨時刻ＬＴと、推奨時刻ＬＣＤと、所要時間情報とに基づいて、推奨到着時刻情報ＬＦ２を決定する。滞在時間情報ＬＦ３は、被写体Ｐ及び周辺施設ＰＰの各々への滞在時間の目安を示す。従って、被写体Ｐと周辺施設ＰＰとの間を移動する利便性を更に向上させることができる。
【００５１】
続いて、図１〜図５を参照して、画像情報処理装置１００の動作を説明する。図５は、画像情報処理装置１００の実行する処理を示すフローチャートである。ステップＳ１０１〜ステップＳ１０７が実行されることによって、画像情報処理装置１００は、対応画像情報に対する処理を実行する。具体的には、以下の通りである。
【００５２】
ステップＳ１０１において、入力部２０には、検索条件情報Ｋが入力される。処理は、ステップＳ１０３に進む。
【００５３】
次に、ステップＳ１０３において、抽出部１１は、複数の画像情報Ｊのうち、地名情報ＪＡ１に対応する少なくとも１つの対応画像情報を抽出する。処理は、ステップＳ１０５に進む。
【００５４】
次に、ステップＳ１０５において、情報処理部１２は、特性情報ＪＡを処理する。処理は、ステップＳ１０７に進む。
【００５５】
次に、ステップＳ１０７において、表示部３０は、情報処理部１２による処理結果Ｒを表示する。そして、処理は終了する。
【００５６】
続いて、図１〜図５を参照しつつ、図６〜図８を更に参照して、画像情報処理装置１００が画像形成装置である実施形態について説明する。図６は、画像形成装置２００を示す構成図である。画像形成装置２００は、例えば、複合機である。なお、図６〜図８を参照して説明する画像形成装置２００において、図１〜図５を参照して説明した画像情報処理装置１００と同様の構成については、説明が煩雑になることを避けるため図の記載と説明とを省略する。
【００５７】
図６に示すように、画像形成装置２００は、ネットワークＮを介して各種のサーバー装置（例えば、画像情報サーバー装置Ｖ１、地図情報サーバー装置Ｖ２、又は天気情報サーバー装置Ｖ３）と通信可能に接続され得る。
【００５８】
画像形成装置２００は、制御部２１０と、入力部２２０と、表示部２３０と、記憶部２４０と、通信部２５０とに加えて、画像形成部２６０と、読取部と、給送部と、搬送部と、排出部とを更に備える。制御部２１０は、抽出部２１１と、情報処理部２１２とを含む。なお、制御部２１０、入力部２２０、表示部２３０、記憶部２４０、及び通信部２５０の各々は、図１〜図５を参照して説明した制御部１０、入力部２０、表示部３０、記憶部４０、及び通信部５０の各々に対応しており、同様に構成される。読取部と、給送部と、搬送部と、排出部とについては、図７を参照して後述する。
【００５９】
画像形成部２６０は、図３と図４とを参照して説明した地図画像Ｍをシートに形成する。従って、画像形成装置２００は、被写体Ｐを撮影する推奨位置ＬＥを含む地図を印刷出力できる。その結果、ユーザーは、被写体Ｐを好適に撮影するための情報を容易に携行できる。
【００６０】
続いて、図７と図８とを参照して、画像形成部２６０が地図画像ＭをシートＳに形成する動作の詳細について説明する。図７は、画像形成装置２００を示す図である。
【００６１】
図７に示すように、制御部２１０は、画像形成装置２００の各部の動作を制御する。読取部２７０は、原稿Ｈに形成された画像を読み取る。入力部２２０と表示部２３０とは、タッチパネル機能を有する操作パネルを構成する。給送部２８０は、複数のシートＳを収容し、搬送部２９０へシートＳを給送する。シートＳは、例えば、紙製又は合成樹脂製のシートである。搬送部２９０は、複数の搬送ローラー対を含み、画像形成部２６０にシートＳを搬送する。画像形成部２６０は、電子写真方式によってシートＳに地図画像Ｍを形成し、地図画像Ｍを加熱及び加圧してシートＳに地図画像Ｍを定着させる。具体的には、画像形成部２６０は、感光体ドラムと、帯電装置と、露光装置と、現像装置と、転写装置と、クリーニング装置と、除電装置と、定着装置とを含む。搬送部２９０は、地図画像Ｍの定着されたシートＳを排出部２９１に搬送する。排出部２９１は、画像形成装置２００の外部にシートＳを排出する。
【００６２】
図８は、画像形成装置２００の実行する処理を示すフローチャートである。ステップＳ２０１〜ステップＳ２０９が実行されることによって、画像形成装置２００は、対応画像情報に対する処理を実行する。具体的には、以下の通りである。
【００６３】
ステップＳ２０１〜ステップＳ２０７の各々は、図５を参照して説明したステップＳ１０１〜ステップＳ１０７の各々に対応しており、同様の処理を実行する。処理は、ステップＳ２０９に進む。
【００６４】
次に、ステップＳ２０９において、画像形成部２６０は、地図画像ＭをシートＳに形成する。そして、処理は終了する。
【００６５】
以上、図面（図１〜図８）を参照しながら本発明の実施形態を説明した。但し、本発明は、上記の実施形態に限られるものではなく、その要旨を逸脱しない範囲で種々の態様において実施することが可能である。また、上記の各実施形態に開示されている複数の構成要素を適宜組み合わせることによって、種々の発明の形成が可能である。例えば、実施形態に示される全構成要素から幾つかの構成要素を削除してもよい。さらに、異なる実施形態にわたる構成要素を適宜組み合わせてもよい。図面は、理解しやすくするために、それぞれの構成要素を主体に模式的に示しており、図示された各構成要素の長さ、個数、間隔等は、図面作成の都合上から実際とは異なる。また、上記の実施形態で示す各構成要素の時刻、距離、天気等は一例であって、特に限定されるものではなく、本発明の構成から実質的に逸脱しない範囲で種々の変更が可能である。
【００６６】
（１）図１〜図８を参照して説明した各種のサーバー装置（例えば、画像情報サーバー装置Ｖ１、地図情報サーバー装置Ｖ２、又は天気情報サーバー装置Ｖ３）は、ネットワークＮを介して画像情報処理装置１００又は画像形成装置２００と接続されていたが、本発明はこれに限られない。各種のサーバー装置に記憶されている情報（例えば、画像情報Ｊ、地図情報Ｇ、天気予報情報Ｗ）は、記憶部４０又は記憶部２４０に記憶されていてもよい。例えば、各種のサーバー装置に記憶されている情報が記憶部４０に記憶されている画像情報処理装置１００において、制御部１０は、通信部５０を介することなく記憶部４０から各種の情報を取得できる。
【００６７】
（２）図６〜図８を参照して説明した画像形成装置２００は、電子写真方式の複合機であったが、本発明はこれに限られない。画像形成装置２００は、シートＳに地図情報Ｇを形成可能な構成でありさえすればよい。画像形成装置２００は、例えば、インクジェット記録方式のプリンターであってもよい。例えば、画像形成装置２００がインクジェット記録方式のプリンターである場合、画像形成部２６０は、記録ヘッドを含む。
【産業上の利用可能性】
【００６８】
本発明は、画像情報処理装置及び画像形成装置の分野に利用可能である。
【符号の説明】
【００６９】
１００    画像情報処理装置
１１      抽出部
１２      情報処理部
２０      入力部
２００    画像形成装置
２１１    抽出部
２１２    情報処理部
２３０    表示部
２６０    画像形成部
３０      表示部
Ｊ        画像情報
ＪＡ      特性情報
ＪＡ１    地名情報
Ｋ        検索条件情報
ＬＥ      推奨位置
Ｍ        地図画像
Ｐ        被写体
Ｒ        処理結果
【図１】
2019144988.tif 000003
【図２】
2019144988.tif 000004
【図３】
2019144988.tif 000005
【図４】
2019144988.tif 000006
【図５】
2019144988.tif 000007
【図６】
2019144988.tif 000008
【図７】
2019144988.tif 000009
【図８】
2019144988.tif 000010